(57)【特許請求の範囲】
【請求項１】
掘削機のアダプタのノーズ部に使用される掘削機用歯であって、
少なくとも一部が対向する側壁によって画成されたノーズ部受容ポケットを備えており、
前記側壁の少なくとも１つは、挿入体を挿入方向に受容する挿入体受容凹部、及び、全体的に平坦な第１及び第２の挿入体係合インタフェース面を有しており、
当該第１のインタフェース面は、前記歯が当該歯の長手方向軸回りに第１の方向に回転することを妨げ、
当該第２のインタフェース面は、当該歯が当該長手方向軸回りに前記第１の方向とは反対の第２の方向に回転することを妨げ、
前記第１及び第２のインタフェース面の各々は、前記挿入方向及び前記長手方向軸の両方に平行な仮想平面に対して傾斜されている
ことを特徴とする掘削機用歯。
【請求項２】
掘削機のアダプタのノーズ部に使用される掘削機用歯であって、
少なくとも一部が対向する側壁によって画成されたノーズ部受容ポケットを備えており、
前記側壁の少なくとも１つは、挿入体受容凹部を有しており、
これにより当該凹部は、前記アダプタのノーズ部に取り付けられた挿入体を挿入方向に受容し、
前記挿入体受容凹部は、全体的に平坦な第１及び第２のノーズ部係合インタフェース面を有しており、
当該第１のインタフェース面は、前記歯が当該歯の長手方向軸回りに第１の方向に回転することを妨げ、
前記第２のインタフェース面は、当該歯が当該長手方向軸回りに前記第１の方向とは反対の第２の方向に回転することを妨げ、
前記第１及び第２のインタフェース面の各々は、前記挿入方向及び前記長手方向軸の両方に平行な仮想平面に対して傾斜されている
ことを特徴とする掘削機用歯。
【発明の詳細な説明】
【技術分野】
【０００１】
本願明細書は、全体として、掘削に関連して使用される装置及び実施される作業に関し、後述の１つの実施例においては、特に、改良された掘削機用歯の取付具を提供する。
【背景技術】
【０００２】
掘削機用の器具、例えば掘削機用バケットやトレンチャなどは、通常、１つまたは複数の歯が設けられており、当該歯は、当該歯が摩耗した時に交換が便利なように、当該器具に取外し可能に固定されている。従来、そのような掘削機用歯は、当該歯を取外し可能に取り付けるために使用される様々な形態のピンや楔などを用いて、当該器具のリップ部上に配置されたアダプタ上のノーズ部に固定されていた。
【０００３】
初期の取付ピンは、ハンマの衝撃によって取り付けられたり取り外されたりしていた。この方法は、後に、安全性を欠き不便な方法として広く認識され、衝撃を与えることのない取付方法の開発に繋がった。残念なことに、これらの衝撃を与えることのない取付機構の多くは、過度に複雑で、コストが掛かり、使用することが不便であり、及び／または、掘削作業の厳しい環境に適していない。
【０００４】
したがって、掘削機用歯の取付具の技術において、進歩が必要であることが認識されることだろう。そのような進歩は、既存のアダプタノーズ部に組み込まれ得る改良された取付機構、または、新しく設計されたアダプタノーズ部に設けられ得る改良された取付機構の提供を含むであろう。
【発明の概要】
【０００５】
後述する開示においては、前記取付具の技術における少なくとも１つの問題を解決する掘削機用歯及び取付機構が提供される。１つの実施例が以下に記載され、当該実施例では、掘削機用歯は、ユニークな取付機構を用いてアダプタノーズ部に固定されている。他の実施例では、取付機構は、既存のアダプタノーズ部に組み込まれ得る。
【０００６】
ある側面では、この開示は、前記取付具の技術に、内部にノーズ部受容ポケットが形成された掘削機用歯と、アダプタノーズ部内に形成された凹部に受容される挿入体と、前記歯を前記ノーズ部に取外し可能に固定するネジ式締結部材と、を含み得る掘削機用器具のための取付機構を提供する。当該締結部材は、当該締結部材上に形成された螺旋状締結ネジ部を含むことが可能であり、当該ネジ部は、前記締結部材の本体に対して偏心している。
【０００７】
他の側面では、掘削機のアダプタのノーズ部上で使用される掘削機用歯は、対向する側壁によって画成されたノーズ部受容ポケットを含むことが可能であり、当該側壁の少なくとも１つは、挿入体受容凹部と、当該ポケットの内部に形成された全体的に平坦な挿入体係合インタフェース面とを含んでいる。あるインタフェース面は、前記歯が当該歯の長手方向軸回りにある方向に回転することを妨げることが可能であり、別のインタフェース面は、当該歯が当該歯の長手方向軸回りに反対方向に回転することを妨げることが可能である。
【０００８】
さらに他の側面では、掘削機用歯は、対向する側壁によって画成されたノーズ部受容ポケットを含むことが可能であり、当該側壁の少なくとも１つは、当該側壁上に内部に形成された挿入体受容凹部を有している。当該凹部は、アダプタノーズ部に取り付けられた挿入体を受容することが可能である。
【０００９】
これらの及びその他の特徴、利点、及び利益が、後述の典型例の詳細な説明と添付の図面とを注意深く考慮することにより、当業者にとって明確になる。当該図面において、同様の要素は、様々な図において同じ参照符号で示されている。
【図面の簡単な説明】
【００１０】
【図１】本願の開示の原理を具体化した掘削機用器具の斜視図。
【図２】掘削機用歯、アダプタノーズ部、及び締結部材の上方から見た平面図。これらは、各々本願の開示を具体化し、図１の器具に使用され得る。
【図３】図２の掘削機用歯、アダプタノーズ部、及び締結部の側面図。
【図４】図８の線４−４に沿った、前記歯及び前記アダプタノーズ部の断面図。
【図５】図２及び図６の線５−５に沿った、前記歯及び前記アダプタノーズ部の断面図。
【図６】図３の線６−６に沿った、前記歯及び前記アダプタノーズ部の断面図。
【図７】前記歯の断面、及び、当該歯の内部にある前記アダプタノーズ部の上方から見た平面を示す図。
【図８】前記歯の断面、及び、当該歯の内部にある前記アダプタノーズ部の側面を示す図。
【図９】前記アダプタノーズ部の上方から見た平面図。
【図１０】前記アダプタノーズ部の側面図。
【図１１】アダプタノーズ部の他の構成の上方から見た平面図。
【図１２】図１１のアダプタノーズ部の構成の断面図。当該アダプタノーズ部は、相補的に成形された歯の構成の中に位置している。
【図１３】前記歯と前記アダプタノーズ部のための取付機構を示す図。
【図１４】前記歯と前記アダプタノーズ部のための取付機構を示す図。
【図１５】前記歯と前記アダプタノーズ部のための取付機構を示す図。
【図１６】前記歯と前記アダプタノーズ部のための取付機構を示す図。
【図１７】前記取付機構の他の構成を示す図。
【図１８】前記取付機構の他の構成を示す図。
【図１９】前記取付機構の他の構成を示す図。
【図２０】前記取付機構の他の構成を示す図。
【図２１】前記取付機構の他の構成を示す図。
【図２２】前記取付機構のさらに他の構成を示す図。
【図２３】前記取付機構のさらに他の構成を示す図。
【図２４】前記取付機構のさらに他の構成を示す図。
【図２５】前記取付機構のさらに他の構成を示す図。
【図２６】前記取付機構のさらに他の構成を示す図。
【図２７】前記取付機構のさらに別の構成を示す図。
【図２８】前記取付機構のさらに別の構成を示す図。
【図２９】前記取付機構のさらに別の構成を示す図。
【図３０】従来のアダプタノーズ部の正面図。
【図３１】従来のアダプタノーズ部の断面図。
【図３２】図３０及び図３１のアダプタノーズ部と共に使用され得る挿入体の正面図。
【図３３】図３０及び図３１のアダプタノーズ部と共に使用され得る挿入体の平面図。
【図３４】図３０及び図３１のアダプタノーズ部と共に使用され得る挿入体の側面図。
【図３５】前記アダプタノーズ部に取り付けられた前記挿入体の正面図。
【図３６】前記アダプタノーズ部への前記歯の取付けを示す正面図。
【図３７】前記アダプタノーズ部への前記歯の取付けを示す平面図。
【発明を実施するための形態】
【００１１】
図１に典型例として描かれているのは、本願の開示の原理を具体化する掘削機用器具１０である。器具１０は、図１において、対象物係合下部リップ１４を有するバケット１２を含んでいるものとして描かれている。当該リップ１４に沿って取り付けられているのは、離間された複数のアダプタ１６である。当該アダプタ１６によって、掘削機用歯１８を前記リップ１４に取り付けることができ、前記器具１０は、より効果的に対象物を破壊し、バケット１２に掬うことができる。
【００１２】
ここで、図１に描かれている前記器具１０は、以下により詳細に記載される本願の開示の原理を包含し得る幅広い様々な器具の、単なる一例にすぎないことに留意すべきである。他のタイプの器具、例えばトレンチャ等も、本願の開示の原理を利用し得る。実際、交換可能な掘削機用歯を使用する多くの掘削機の装備品が、本願の開示の原理によって利益を受け得る。
【００１３】
前記アダプタ１６と前記歯１８の複数の構成が、図示及び例示の目的で、本願図面に示され以下に説明されている。これにより、当業者は、本願の開示の原理をどのように構成して利用すべきであるかを理解することができ、その利益を理解することができる。しかしながら、本願の開示の原理がアダプタ１６、歯１８、及びここで記載される関連部品の具体的な構成に全く限定されないことは、明確に理解されるべきである。本願の開示の原理は、具体的な構成に限定されることなく、多種多様の掘削機用歯、アダプタ及び取付機構の構成に適用され得る。
【００１４】
次に図２を参照すると、アダプタ１６と歯１８の係合された部分の上方から見た平面図が、典型例として示されている。図２は、また、前記歯１８を前記アダプタ１６に取外し可能に固定するために用いられる取付機構２０を示している。
【００１５】
図２において、前記アダプタ１６の「雄」ノーズ部２２が、前記歯１８の後方端部に形成された「雌」ポケット２４内に受容されている様子が見て取れる。前記歯１８を前記ノーズ部２２に取外し可能に固定するため、締結部材２６が、前記歯の対向する側壁３０を貫いて形成された開口２８に取り付けられている。前記締結部材２６は、また、前記ノーズ部２２を横方向に貫いて形成された他の開口３２を通って延びている。
【００１６】
これらの部品の各々は、当該部品のユニークな構造と作用によってもたらされる利益と共に、以下により詳細に説明される。当該利益には、しっかりとした、確実で、経済的で、強固で、便利な、前記歯１８の前記アダプタノーズ部２２への前記取付機構２０を用いた取付け、及び、前記部品間の摩耗を有利に低減する前記歯と前記アダプタノーズ部との間の完全に安定化された相補的係合、が含まれる。
【００１７】
次に図３を参照すると、前記取付機構２２の側面図が、典型例として示されている。この図では、前記歯のポケット２４が、上部壁３４と、下部壁３６と、端部壁３８と、さらに前述した側壁３０と、によって画成されていることが見て取れる。
【００１８】
前記歯１８と前記アダプタノーズ部２２は、当該歯の長手方向軸４０に沿って配置されている。前記締結部材２６は、横方向（前記長手方向軸４０に垂直な方向）に延びている横軸４２に沿って配置されている。もう１つの軸４４は、前記長手方向軸４０と前記横軸４２とによって規定される平面に直交し、前記上部壁３４及び前記下部壁３６と交差する。
【００１９】
ここで留意すべきは、前記軸４０及び４２は、図３において、水平方向を向いて描かれており、前記４４は鉛直方向を向いて描かれているが、これらの軸は、前記歯１８が前記アダプタノーズ部２２に取り付けられ、前記器具１０が掘削作業に用いられているときは、いかなる方向を向いていてもよい。このように、本願図面に示されている前記軸４０、４２及び４４の向きは、単に、説明したり、表示したり、例示したりするのに便利であるように示されたものである。
【００２０】
次に図４を参照すると、前記アダプタ１６と前記歯１８の断面図が、典型例として示されている。この図では、取付機構２０のさらなる特徴が、より明確に見て取れる。
【００２１】
前記開口３２は、当該開口の両端部の各々に螺旋状ネジ部４６を有する。ここで留意すべきは、当該ネジ部４６は、前記開口２８、３２と同軸でなく、当該開口に対して偏心していることである。好ましくは、当該ネジ部４６は、（以下により詳細に説明されるように）その接線が当該開口３２の１つの側部の接線に沿っている。また、当該ネジ部４６は、繋がっておらず、各ネジ部は、前記開口の他方の端部にあるネジ部と接続することなく終わっている。
【００２２】
当該２つのネジ部４６は、前記締結部材２６が前記開口２８、３２のいずれの端部からも取り付けられることを可能にする。当該開口３２内で前記ネジ部４６が終わっていることは、前記締結部材２６が当該開口の奥深くに取り付けられることを防ぐ。当該ネジ部４６が前記開口２８、３２に対して偏心して位置していることにより、前記締結部材２６が前記開口に取り付けられた状態において、当該締結部材２６の本体部を当該開口に十分に接触させることができ、これにより、以下により詳細に説明されるように、表面領域を増やすことができて摩耗を減らすことができる。
【００２３】
前記開口２８もまた、前記開口３２と同心ではない。以下により詳細に説明されるように、前述の利点に加え、前記開口２８、３２が偏心していることにより、前記締結部材２６を当該開口に取り付ける際に、当該締結部材２６と当該開口との自動的で直観的に認識できる位置合わせが、提供される。
【００２４】
凹部４８（以下に説明されるロック装置８２の一例として使用される）が、前記ノーズ部２２内に、前記開口３２及び前記ネジ部４６に隣接して形成されたものとして、図４に示されている。前記歯１８及びアダプタノーズ部２２内に前記締結部材２６をロックする様々な装置が、以下により詳細に説明される。
【００２５】
次に図５を参照すると、前記歯１８と前記アダプタノーズ部２２の他の断面図が、典型例として示されている。この図において、当該歯１８が当該ノーズ部２２に、主に、前記端部壁３８上に形成された平坦なインタフェース面５０で接触していることが見て取れる。当該インタフェース面５０は、前記歯１８の長手方向軸４０に直交するように向けられており、これにより、当該長手方向軸に沿って前記歯に作用する力５２に対して、かなりの抵抗性を提供する。
【００２６】
さらに、傾斜した平坦なインタフェース面５３が設けられており、当該インタフェース面５３は、前記長手方向の力５２に抵抗することに加え、前記歯１８を前記長手方向軸４０に対して中心に位置させて安定させる役割も果たす。前記インタフェース面５３は、好ましくは、前記長手方向軸４０及び垂直方向軸４４に対して傾斜しているが、前記歯１８の横方向軸４２に対しては平行である。
【００２７】
次に図６を参照すると、前記歯１８と前記アダプタノーズ部２２の他の断面図が、典型例として示されている。この図においては、さらに他の傾斜したインタフェース面が、前記歯１８に作用する他の様々な力に抵抗し、前記歯を前記アダプタノーズ部２２上で安定させるために、前記取付機構２０において使用されている様子が見て取れる。
【００２８】
前記上部壁３４上と前記下部壁３６上とに形成された平坦なインタフェース面５４、５６は、前記歯に対して前記垂直方向軸４４に沿って作用する力５８に反応して、当該力に対して抵抗し、前記歯１８を前記アダプタノーズ部２２上で中心に位置させて安定させる役割を果たす。前記側壁３０上に形成された平坦なインタフェース面６０、６２は、前記歯１８に対して前記横方向軸４２方向に作用する力６４に反応して、当該力に抵抗して、当該歯を前記アダプタノーズ部２２上で中心に位置させて安定させる役割を果たす。
【００２９】
さらに、前記インタフェース面５４、６２は、前記歯１８に対して前記長手方向軸４０回りに作用するトルク６６によって当該歯１８が前記アダプタノーズ部２２に対して回転することを防ぐ機能を果たす。同様に、前記インタフェース面５６、６０は、前記長手方向軸４０回りに作用する反対方向のトルク６８によって前記歯１８が前記アダプタノーズ部２２に対して回転することを防ぐ機能を果たす。
【００３０】
好ましくは、前記歯１８を前記アダプタノーズ部２２上でより安定させるために、各インタフェース面５４、５６、６０、６２は、各軸４０、４２、４４に対して傾斜される。しかしながら、当該インタフェース面５４、５６、６０、６２は、本願の開示の原理から離れなければ、他の方向を向いていてもよい。さらに、前記歯のポケット２４は、前記アダプタノーズ部２２に対して、実質的に相補的に形成されているので、当該アダプタノーズ部は、前記インタフェース面５０、５３、５４、５６、６０、６２及びここに記載される他のインタフェース面と同様に形成され同様の方向を向いた、当該アダプタノーズ部上に形成されたインタフェース面を有する。
【００３１】
前記インタフェース面６０、６２は、結合して前記ポケット２４の凸部を形成し、これにより、前記側壁３０の横方向の厚さを増している。このことは、以下により詳細に説明されるように、前記開口２８と前記締結部材２６の各端部との間に十分な接触面領域を提供するのに有利である。
【００３２】
次に図７を参照すると、前記アダプタノーズ部２２上の前記歯１８の他の断面図が、典型例として示されている。この図においては、さらに他の平坦なインタフェース面７０が、前記端部壁３８上に、前記インタフェース面５０に隣接して当該インタフェース面５０の両側に形成されている様子が見て取れる。
【００３３】
前記インタフェース面７０は、前記長手方向の力５２に反応して、当該力に対して抵抗し、また、前記歯１８を前記長手方向軸４０に対して中心に位置させて安定させる役割を果たす。当該インタフェース面７０は、好ましくは、前記長手方向軸４０及び横方向軸４２に対して傾斜されているが、前記歯１８の直交方向軸４４に対しては平行である。本願図面に示された実施例においては、前記インタフェース面５３、７０は、当該インタフェース面が前述のような方向を向いていることにより、当該インタフェース面の全体として長方形の周縁において前記インタフェース面５０と交差しているが、所望であれば、他の配置を採用してもよい。
【００３４】
次に図８を参照すると、前記アダプタノーズ部２２上の前記歯１８の他の断面図が、典型例として示されている。この図において、前記上部壁３４と前記下部壁３６は、当該壁上に形成された平坦なインタフェース面７２、７４を有し、当該インタフェース面は、前記軸４４に沿って前記歯に加わる力５８に対して抵抗する。
【００３５】
前記インタフェース面７２、７４は、好ましくは、前記上部壁３４及び前記下部壁３６のそれぞれに沿って長手方向に互いに離間しており、好ましくは、互いに対して平行である。前記インタフェース面７２、７４は、また、好ましくは、当該インタフェース面に垂直な方向に互いに対してオフセットしている。当該インタフェース面７２、７４は、所望であれば互いに対していくらか傾斜していてもよいが、好ましくは、そのような相対的な傾斜は最小限である。
【００３６】
前記インタフェース面７２、７４は、好ましくは、前記長手方向軸４０及び前記直交方向軸４４に対していくらか傾斜されているが、前記横方向軸４２に対しては平行である。前記インタフェース面７２、７４は、所望であれば、前記長手方向軸４０に対して平行であってよい。
【００３７】
前記インタフェース面７２は、前記横方向軸４２回りに前記歯に適用されるトルク７６による前記アダプタノーズ部２２回りの前記歯１８の回転に対して抵抗する役割を果たす。同様に、前記インタフェース面７４は、前記横方向軸４２回りに適用される反対方向のトルク７８による前記アダプタノーズ部２２回りの前記歯１８の回転に対して抵抗する役割を果たす。
【００３８】
次に図９及び図１０を参照すると、前記アダプタノーズ部２２の上方及び側方から見たそれぞれの図が、前記取付機構２２の残りの部分から離れた状態で、典型例として示されている。当該図において、前記歯ポケット２４内に形成されているとして前述されたインタフェース面は、前記アダプタノーズ部及び前記ポケット上の前記インタフェース面がどのように協働して相補的に成形された取付固定化機構を形成するかを示すべく、前記アダプタノーズ部２２上に示されている。
【００３９】
次に図１１及び図１２を参照すると、前記歯１８及び前記アダプタノーズ部２２の他の構成が、典型例として示されている。当該構成において、前記上部壁３４及び前記下部壁３６上の前記インタフェース面５４、５６は、他の傾斜した平坦な面８０によって分離されている。その他の点では、図１１及び図１２の当該構成は、実質的に図２乃至図１０の構成と同様であり、本質的に同じように作用する。このことは、前記取付機構２０の様々な構成が本願の開示の原理に沿ったまま採用可能であることを示している。
【００４０】
次に図１３乃至図１６を参照すると、前記取付機構２０は、典型例として示されていて、前記締結部材２６が前記アダプタノーズ部２２及び前記歯１８から誤って外れることを防止するためのロック装置８２の部品と共に示されている。図１３は、組み立てられた前記アダプタノーズ部２２及び前記歯１８に取り付けられた当該ロック装置８２を示している。図１４及び図１５は、特別に構成された前記締結部材２６を示している。また、図１６は、前記ロック装置のロック部材８４を示している。
【００４１】
図１４に示された前記締結部材２６は、細長い本体８６を有し、当該本体は、当該本体の一端付近に形成された螺旋状ネジ部８８を有している。当該ネジ部８８は、前記本体８６に対して偏心しており、当該ネジ部は、接線が当該本体の１つの側部の接線に沿っている。
【００４２】
前記本体８６は、全体として円筒状に成形されているが、前記締結部材２６を前記アダプタノーズ部２２の開口３２から除去することを容易にするために、いくらか先細にされていてもよい（例えば、１つの側部上において前記ネジ部８８の端部からネジの形成されていない端部に向けて約１度内側に向けて先細にする）。接触面９０は、（図１３に示すように）前記歯１８の各側部内の前記開口２８に接触するために、前記本体８６の各端部に設けられており、前記本体の中間部は、前記アダプタノーズ部２２内の開口３２に接触する接触面９２を提供している。
【００４３】
前記締結部材２６を取り付ける際、前記本体８６は、前記歯１８の片側にある前記開口２８に通されて前記アダプタノーズ部２２内の開口３２に挿入される。当該締結部材２６は、前記ネジ部８８が当該開口２８と整列するまで回転される。
【００４４】
ここで留意すべきは、前記ネジ部８８は、前記開口２８が前記開口３２に対して偏心してオフセットされている量と同じ量だけ前記締結部材２６の本体８６に対して偏心してオフセットされていること、及び、当該ネジ部８８は、前記開口２８よりも直径がいくらか小さいことである。このように、一度前記本体８６が前記アダプタノーズ部２２の開口３２に挿入されてしまうと、前記ネジ部８８が前記開口２８に整列することは、作業者にとって直観的に理解可能である。
【００４５】
前記ネジ部８８が前記開口２８に挿入された状態で、当該ネジ部８８もまた、前記アダプタノーズ部２２内の各１つのネジ部４６に容易に係合されるために、整列される。前記締結部材２６は、その後１８０度回転される（または、前記アダプタノーズ部２２内のネジ部４６の深さに応じて、所望であればその他の量、例えば９０度、回転される）。
【００４６】
この時点で、前記開口２８と係合している接触面９０、前記開口３２内で係合されている接触面９２、及び、互いに係合されている前記ネジ部４６、８８を用いて、前記歯１８は前記アダプタノーズ部２２上に固定される。前記ロック装置８２は、その後、前記締結部材２６が誤って外れることを防止すべく使用され得る。
【００４７】
ここで留意すべきは、ソケット９４が、前記締結部材２６を前記取付機構２０内に取り付けたり取り外したりする際に適当なツールを用いて前記締結部材２６を回転させるために、当該締結部材２６の一方の端部内に設けられていることである。ロック装置８２は、前記ロック部材８４を保持すべく、前記ソケット９４を、当該ソケット９４と前記本体８６の外面との間で横方向に延びているスロット９６と共に利用する。
【００４８】
図１６に示されているように、前記ロック部材８４は、当該ロック部材の一方の側部９８上において、前記ソケット９４及び前記スロット９６に関連して相補的に形成されており、反対側から外側に延びているローブ１００を有する。当該ローブ１００は、前記開口２８の曲率に適合した外側曲率を有しており、そのため、前記締結部材２６が適切に前記開口３２内に取り付けられて、前記ロック部材８４の側部９８が前記ソケット９４内及び前記スロット９６内に挿入されているとき、前記ローブは前記開口２８と協調的に係合し、これにより前記締結部材が外れることを防止する。
【００４９】
好ましくは、前記ロック部材８４は、弾性材料、例えば適当に耐久性のあるエラストマー、によって作られている。前記ロック部材の端部９８及び前記ローブ１００は、好ましくは、各ソケット９４と開口２８内における締まり嵌めのために寸法決めされており、これにより前記ロック部材が前記締結部材２６及び前記歯１８から意に反して移動することを防止する。
【００５０】
図１３乃至図１６のロック装置８２では、前記ロック部材８４は前記開口２８と係合して、前記締結部材２６が意に反して外れることを防止する。しかしながら、所望であれば、他のタイプのロック装置が用いられ得る。
【００５１】
次に図１７乃至図２１を参照すると、前記ロック装置８２の他の構成が、典型例として示されている。この構成では、前記ロック部材８４は、前記締結部材２６と前記アダプタノーズ部２２内に前記開口３２に隣接して形成されたスロット１０２とに係合して、前記締結部材が意に反して外れることを防止する。
【００５２】
図２０及び図２１に示されているようなロック部材８４は、細長い鍵部１０４を含んでいる。当該鍵部１０４は、前記締結部材が前記アダプタノーズ部内に適切に取り付けられた後、前記締結部材２６内の整列されたスロット９６と前記アダプタノーズ部２２内のスロット１０２とに挿入される。前記締結部材２６内のスロット９６は、この目的のため、図１８及び図１９に示されているように、適切に細長く形成されている。さらに、前記ロック部材８４は、好ましくは弾性材料で作られており、好ましくは前記締結部材２６内と前記スロット９６、１０２内とで締まり嵌めされて、意に反して外れることを防止する。
【００５３】
次に図２２乃至図２６を参照すると、前記ロック装置８２の他の構成が、典型例として示されている。この構成では、前記ロック部材８４は、円筒状ロッドの形であり、当該ロッドは、前記アダプタノーズ部２２内で前記凹部４８と前記開口３２との間に保持される（当該凹部４８は、図４及び図８に、より明確に示されている）。
【００５４】
前記ロック部材８４は、前記凹部４８に配置された付勢装置１０６によって弾性的に前記開口３２に向けて付勢されている。当該付勢装置１０６は、好ましくは弾性材料によって作られているが、所望であれば他のタイプの付勢装置（例えばバネなど）を用いることもできる。
【００５５】
回り止め１０８が、図２３に示されているように、前記締結部材２６のネジ部８８上に形成されている。当該締結部材２６が回転されて当該締結部材が前記アダプタノーズ部２２に装着されると、前記ネジ部８８は前記ロック部材８４を前記凹部４８に向けて移動させ、これにより前記付勢装置１０６を押し付ける。前記締結部材２６が前記アダプタノーズ部２２に適切に取り付けられたとき、前記回り止め１０８は、前記ロック部材８４に整列され、当該ロック部材８４は、前記付勢装置１０６によって偏心され当該回り止めと係合し、これにより前記締結部材が誤って外れることを防止する。
【００５６】
このシーケンスは、図２４乃至図２６に示されている。図２４は、前記締結部材２６を前記アダプタノーズ部２２に装着する直前に、前記締結部材が前記開口３２に挿入されて前記ネジ部８８が前記開口部２８に整列されたときの、前記締結部材２６、前記ロック部材８４及び前記付勢装置１０６の配置を示している。
【００５７】
図２５は、前記締結部材２６が９０度回転され、これにより当該締結部材２６を前記アダプタノーズ部２２内に部分的に装着させたときの、前記締結部材２６、前記ロック部材８４及び前記付勢装置１０６の配置を示している。ここで留意すべきは、（本体８６に対して偏心して位置していることにより）前記ロック部材８４はネジ部８８によって前記付勢装置１０６の方へ移動させられており、これにより前記付勢装置を押し付けていることである。
【００５８】
図２６は、前記締結部材２６が１８０度回転され、これにより当該締結部材が前記アダプタノーズ部２２に完全に装着されているときの、前記締結部材２６、前記ロック部材８４及び前記付勢装置１０６の配置を示している。ここで留意すべきは、当該ロック部材８４は、この時点で前記回り止め１０８と係合され、そのような係合は前記付勢装置１０６によって弾性的に維持されることである。前記締結部材２６の取外しは、再び前記付勢装置を押し付けることを必要とするかもしれない。これは必要な時に簡便に成し遂げられ得るが、意に反して起こることはないであろう。
【００５９】
次に図２７乃至図２９を参照すると、前記取付機構２０の別の構成が、典型例として示されている。当該取付機構２０は、分かり易く図示するために、前記締結部材２６及び前記ロック装置８２のない状態で示されているが、図２７乃至図２９の取付機構の実施例は、図２２乃至図２６に示され前述されたタイプの締結部材及びロック装置を用いるべく構成されている。
【００６０】
図２７乃至図２９の構成は、少なくとも１つの重要な点で図２２乃至図２６の構成とは異なり、すなわち、図２７乃至図２９の構成の前記側壁３０の開口２８は、当該側壁３０内に形成されたネジ係合部１１０を有している。当該ネジ係合部１１０は、これらの図において、前記開口２８の内部に沿って、部分的にだけ円周方向に延びている部分的なネジ部または螺旋状傾斜面として示されている。しかしながら、所望であれば、他のタイプのネジ係合構造が使用されてもよい。
【００６１】
前記ネジ係合部１１０は、前記締結部材２６が前記ノーズ部２２の開口３２から取り外されるとき、前記締結部材２６のネジ部８８と係合するように機能する。当該ネジ部８８は、前記ネジ係合部１１０の一つと係合し、（図に示されているように）前記締結部材２６が反時計回りに回転されるとき、当該ネジ係合部のネジ切りされたまたは傾斜された構成により、当該締結部材２６が前記開口３２から退去しつづける。これにより、当該締結部材２６が前記開口２８、３０からより簡便に除去される。
【００６２】
ここで留意すべきは、前記ネジ係合部１１０は、前記ノーズ部２２の開口３２に対して偏心していることである。加えて、図に示されているように、当該ネジ係合部１１０は各側壁３０の各開口２８に形成されているが、本願の開示の原理は、前記側壁３０の１つを貫通して形成されたただ１つの開口２８を用いて実施され得る。この場合、ただ１つのネジ係合部１１０が用いられてよい。
【００６３】
次に図３０及び図３１を参照すると、従来技術のアダプタ１１４の一部が、典型例として示されている。当該アダプタ１１４はノーズ部１１６を含むが、当該ノーズ部は、残念ながら元々前記アダプタノーズ部２２及び前記歯１８に前述の利益をもたらす前記ノーズ部／歯を安定させて取り付ける機構２０を有していなかった。しかしながら、後述される原理を用いて、図３０及び図３１のアダプタ１１４のためにこれらの利益の一部または全てを得ることは可能である。
【００６４】
前記アダプタ１１４は、横方向に延びている締結部材受容開口１１８を含んでいる。１つの側面上に、円筒状凹部１２０がノーズ部１１６内に形成されている。従来は、そのような凹部は、開口１１８に取り付けられた締結部材が誤って外れることを防ぐために固定部材を収容すべく使用されてきた。
【００６５】
次に図３２乃至図３４を参照すると、本願の開示の原理を具体化した挿入体１２２が、典型例として示されている。当該挿入体１２２は、円筒状凸部１２４を含み、当該円筒状凸部１２４は前記アダプタノーズ部１１６の凹部１２０内に相補的に適合するよう寸法決めされている。
【００６６】
加えて、前記挿入体１２２は前記アダプタ１６のために前述された特徴の多くを含んでいる。例えば、前記挿入体１２２は、前記開口３２、偏心してオフセットされた前記ネジ部４６、前記凹部４８、及び前記インタフェース面６０、６２を含む。これらの要素は、前記アダプタノーズ部１１６に前述の利益（例えば、前記ノーズ部／歯の安定化の促進や、歯のノーズ部に対する取付の改善）の一部または全てを提供し得る。
【００６７】
次に図３５を参照すると、前記挿入体１２２が、前記アダプタノーズ部１１６に取り付けられた状態で、典型例として示されている。加えて、前記ロック装置８２が、前記挿入体１２２に取り付けられた状態で示されている。しかしながら、ここで留意すべきは、他のロック装置（前述のいかなるロック装置をも含む）を本願の開示の原理に沿って使用され得ることである。
【００６８】
前記挿入体１２２の開口３２は、好ましくは、前記アダプタノーズ部１１６の開口１１８と同心である。しかし、ここで留意すべきは、前記ネジ部４６が、前述のアダプタノーズ部２２の開口３２に対して偏心しているのと同様の態様で、各開口３２、１１８に対して偏心していることである。
【００６９】
次に図３６及び図３７を参照すると、前記アダプタノーズ部１１６に掘削機用歯１２６を取り付ける様子が、典型例として示されている。当該歯１２６は、内部に形成されたポケット１２８を有しており、前記挿入体１２２が内部に取り付けられた前記アダプタノーズ部１１６に対して相補的に形成されている。
【００７０】
したがって、前記歯ポケット１２８は、内部に形成されたインタフェース面１３０、１３２を有しており、当該インタフェース面１３０、１３２は、前記挿入体１２２のインタフェース面６０、６２と相補的に係合する。インタフェース面６０及び１３０とインタフェース面６２及び１３２との間の係合が、例えば、対向方向のそれぞれに前記歯にその長手方向軸４０回りに適用されるトルクに抵抗することにより、前記歯１２６と前記アダプタノーズ部１１６との間の安定化を促進させる。
【００７１】
前記歯１２６は、また、前記締結部材２６を受容するために、前記開口２８とその一方の側部に形成された前記ネジ係合部１１０とを有している。当該ネジ係合部１１０は、前記締結部材２６を前述のように前記アダプタ１１４及び前記歯１２６から除去することを促進する。前記ネジ係合部１１０は、前記歯１２６の一方の側部にのみ形成されている状態で図３６及び図３７に示されている。しかしながら、他の実施例において、当該ネジ係合部は、前記歯の両側に形成されていてもよく、これにより、前記歯を前記アダプタノーズ部１１６において逆向きにすることができる。
【００７２】
前記締結部材２６は、前記ノーズ部１１６が前記ポケット１２８に受容された後、前記アダプタ１６及び前記歯１８について前述したように前記歯１２６及び前記アダプタ１１４に装着され得る。前記ロック装置８２は、前記締結部材２６が前記歯１２６及び前記アダプタ１１４から誤って外れることを防止する。
【００７３】
前述した取付機構２０、掘削機用歯１８、１２６、アダプタノーズ部２２、及び挿入体１２２が、掘削機用歯の取付け、固定及び取外しの技術にいろいろな進歩をもたらすことが、今やはっきりと認識される。前記締結部材２６及び前記ロック装置８２は、前記歯１８、１２６を各アダプタノーズ部２２、１１６に、望ましいシンプルさで、安全で、効率的で、簡便で、且つ信頼のおける方法で、取外し可能に固定する。
【００７４】
前述の開示は、前記掘削機用歯の取付け、固定及び取外しの技術に掘削機用器具１０のための取付機構２０を提供する。当該取付機構２０は、内部に形成されたノーズ部受容ポケット１２８を有する掘削機用歯１２６、アダプタノーズ部１１６内に形成された凹部１２０に受容される挿入体１２２、及び、前記歯１２６を前記ノーズ部１１６に取外し可能に固定するネジ式締結部材２６を含んでいてよい。前記締結部材２６は、当該締結部材２６上に形成された螺旋状締結ネジ部８８を有していてよく、当該ネジ部８８は前記締結部材２６の本体８６に対して偏心している。
【００７５】
前記挿入体１２２は、内部に形成されたネジ式締結部材受容開口３２を有していてよく、挿入体１２２内に形成された少なくとも１つの締結部材受容ネジ部４６は、当該開口３２に対して偏心している。
【００７６】
前記締結部材ネジ部８８は、前記本体８６から外側に向けて延びていてよく、当該本体８６の１つの横側部上の締結部材ネジ部８８は、接線が当該本体８６の外面の接線に沿っている。
【００７７】
前記歯１２６は、前記ポケット１２８の対向する横側壁１３６を貫いて形成された締結部材受容開口２８を有していてよい。前記締結部材の本体８６は、前記締結部材２６が前記歯１２６を前記アダプタノーズ部１１６に固定するとき、前記ネジ部８８の両側の前記歯の締結部材受容開口２８と係合することができる。
【００７８】
前記挿入体１２２は、内部に形成された締結部材受容開口３２を有していてよく、当該締結部材本体８６が当該挿入体の締結部材受容開口３２と同心であるとき前記締結部材ネジ部８８が前記歯の締結部材受容開口２８と同心であるよう、当該挿入体の締結部材受容開口３２は、当該歯の締結部材受容開口２８に対して偏心している。
【００７９】
少なくとも１つの前記歯の締結部材受容開口２８は、ネジ式係合部１１０を含んでいてよく、当該ネジ式係合部１１０は、前記締結部材２６が前記挿入体の締結部材受容開口３２から取り外されるとき、前記締結部材ネジ部８８と係合する。
【００８０】
前記取付機構２０は、また、前記締結部材２６と前記挿入体１２２との双方を係合するロック装置８２含んでいてよく、これにより当該ロック装置８２は、前記締結部材２６の前記挿入体１２２に対する回転を防止する。
【００８１】
前記挿入体１２２は、前記歯１２６内に形成されたインタフェース面１３０、１３２と相補的に係合する傾斜されたインタフェース面６０、６２を含んでいてよく、これにより、当該挿入体のインタフェース面６０、６２と各歯のインタフェース面１３０、１３２との間の係合は、前記歯１２６を前記アダプタノーズ部１１６上で安定させる。
【００８２】
掘削機用アダプタ１１４のノーズ部１１６上で使用される掘削機用歯１２６も前述された。当該歯１２６は、対向する側壁１３６によって画成されたノーズ部受容ポケット１２８を含んでいてよく、少なくとも１つの前記側壁１３６は、内側に形成された挿入体受容凹部１３４を有している。前記歯１２６は、また、内側に形成された全体として平坦な挿入体係合インタフェース面１３０、１３２を含んでおり、一方のインタフェース面１３０は、前記歯１２６が当該歯１２６の長手方向軸４０回りに一方の方向へ回転することを妨げ、他方のインタフェース面１３２は、当該歯１２６が当該長手方向軸４０回りに反対方向へ回転することを妨げる。
【００８３】
各インタフェース面１３０、１３２は、前記長手方向軸４０に垂直な前記歯１２６の横方向軸４２に対して傾斜されていてよい。
【００８４】
少なくとも１つの前記側壁１３６を貫通して形成された歯の締結部材受容開口２８は、ネジ係合部１１０を含んでいてよく、当該ネジ係合部１１０は、締結部材２６が挿入体の締結部材受容開口３２から取り外されるとき、締結部材ネジ部８８と係合する。
【００８５】
前述の開示には、また、掘削機用アダプタ１１４のノーズ部１１６上で使用される掘削機用歯１２６が記載されている。当該歯１２６は、対向する側壁１３６によって画成されたノーズ部受容ポケット１２８を含んでいてよく、少なくとも１つの前記側壁１３６は、当該側壁上に内側に形成された挿入体受容凹部１３４を有し、これにより、当該凹部１３４は、アダプタノーズ部１１６に取り付けられた挿入体１２２を受容する。
【００８６】
少なくとも１つの前記側壁１３６は、当該側壁１３６を貫通して前記歯１２６の長手方向軸４０に垂直に形成された締結部材受容開口２８を有していてよく、当該歯の締結部材受容開口２８はネジ係合部１１０を含んでおり、当該ネジ係合部１１０は、締結部材２６が挿入体の締結部材受容開口３２から取り外されるとき、締結部材ネジ部８８と係合する。
【００８７】
前記ネジ係合部１１０は、前記歯の締結部材受容開口２８のネジ部を含んでいてよい。当該ネジ係合部１１０は、前記歯の締結部材受容開口の傾斜された部分を含んでいてよい。当該ネジ係合部１１０は、前記挿入体の締結部材受容開口３２に対して偏心していてよい。
【００８８】
前記挿入体受容凹部１３４は、内側に形成された全体として平坦なノーズ部係合インタフェース面１３０、１３２を有していてよく、一方のインタフェース面１３０は、前記歯１２６が当該歯１２６の長手方向軸４０回りに一方の方向へ回転することを妨げ、他方のインタフェース面１３２は、当該歯１２６が当該長手方向軸４０回りに反対方向へ回転することを妨げる。各インタフェース面１３０、１３２は、前記長手方向軸４０に垂直な前記歯１２６の横方向軸４２に対して傾斜されていてよい。
【００８９】
前述された様々な実施例は、本願の開示の原理から外れない範囲で、例えば、傾斜されたり、反対向きにされたり、水平方向であったり、鉛直方向であったりするなど、様々な向きで実施されてよく、また、様々な構成で実施されてよいことが理解されるべきである。図面に示された実施の形態は、単に、本願の開示の原理の有用な適用例として示され、記載されているにすぎず、本願の開示の原理はこれらの実施の形態のいかなる具体的な細部にも限定されない。
【００９０】
もちろん、当業者は、代表的な実施の形態の前述の記載を注意深く考慮した上で、多くの改良、追加、置換、削除、及びその他の変更を、これらの具体的な実施の形態について行ってもよいこと、及び、そのような変更は本願の開示の原理の範囲内であることを、直ちに認識するであろう。それ故、前述の詳細な説明は、説明と例示のためだけに記載されたものとして明確に認識されるべきであり、本発明の精神及び範囲は、添付の特許請求の範囲とそれに均等なもののみによって限定される。
なお、出願時の請求項は、以下の通りである。
＜請求項１＞
掘削機用器具の取付機構であって、
内部に形成されたノーズ部受容ポケットを有する掘削機用歯と、
アダプタノーズ部内に形成された凹部に受容された挿入体と、
前記ノーズ部上に前記歯を取外し可能に固定するネジ式締結部材と、
を備え、
当該締結部材は当該締結部材上に形成された螺旋状締結ネジ部を有しており、当該ネジ部は当該締結部材の本体に対して偏心している
ことを特徴とする取付機構。
＜請求項２＞
前記挿入体は、当該挿入体の内部に形成されたネジ式締結部材受容開口を有しており、 当該挿入体の内部に形成された少なくとも１つの締結部材受容ネジ部が、当該開口に対して偏心している
ことを特徴とする請求項１に記載の取付機構。
＜請求項３＞
前記締結部材のネジ部は、前記締結部材の本体から外側に向けて延びており、
当該締結部材の本体の１つの側部上の当該締結部材のネジ部は、接線が当該締結部材の本体の外面の接線に沿っている
ことを特徴とする請求項１に記載の取付機構。
＜請求項４＞
前記歯は、前記ポケットの対向する側部壁を貫いて形成された締結部材受容開口を有しており、
前記締結部材が前記歯を前記アダプタノーズ部に固定するとき、当該締結部材の本体は、前記ネジ部の対向する側面にある当該歯の締結部材受容開口と係合する
ことを特徴とする請求項１に記載の取付機構。
＜請求項５＞
前記挿入体は、当該挿入体の内部に形成された締結部材受容開口を有しており、
当該挿入体の締結部材受容開口は、前記歯の締結部材受容開口に対して偏心しており、前記締結部材の本体が前記挿入体の締結部材受容開口と同軸であるとき、前記締結部材のネジ部は、前記歯の締結部材受容開口と同軸である
ことを特徴とする請求項４に記載の取付機構。
＜請求項６＞
少なくとも１つの前記歯の締結部材受容開口は、ネジ式係合部を含んでおり、当該ネジ式係合部は、前記締結部材が前記挿入体の締結部材受容開口から外されるとき、前記締結部材のネジ部と係合する
ことを特徴とする請求項５に記載の取付機構。
＜請求項７＞
前記取付機構は、さらに、前記締結部材と前記挿入体との両方と係合するロック装置を含んでおり、これにより当該ロック装置は、前記締結部材が前記挿入体に対して回転することを妨げる
ことを特徴とする請求項１に記載の取付機構。
＜請求項８＞
前記挿入体は、前記歯の内部に形成されたインタフェース面と相補的に係合する傾斜したインタフェース面を含んでおり、これにより、当該挿入体のインタフェース面とそれぞれの歯のインタフェース面との間の当該係合は、前記歯を前記アダプタノーズ部に強固に固定する
ことを特徴とする請求項１に記載の取付機構。
＜請求項９＞
掘削機のアダプタのノーズ部に使用される掘削機用歯であって、
対向する側壁によって画成されたノーズ部受容ポケットを備えており、
前記側壁の少なくとも１つは、内部に形成された挿入体受容凹部、及び、内部に形成された全体的に平坦な第１及び第２の挿入体係合インタフェース面を有しており、
当該第１のインタフェース面は、前記歯が当該歯の長手方向軸回りに第１の方向に回転することを妨げ、
当該第２のインタフェース面は、当該歯が当該長手方向軸回りに前記第１の方向とは反対の第２の方向に回転することを妨げる
ことを特徴とする掘削機用歯。
＜請求項１０＞
前記第１及び第２のインタフェース面の各々は、前記歯の長手方向軸に垂直な当該歯の横軸に対して傾斜されている
ことを特徴とする請求項９に記載の掘削機用歯。
＜請求項１１＞
前記側壁の少なくとも１つを貫いて形成された歯の締結部材受容凹部が、ネジ式係合部を含んでおり、
当該ネジ式係合部は、締結部材が挿入体の締結部材受容開口から外されるとき、当該締結部材のネジ部と係合する
ことを特徴とする請求項９に記載の掘削機用歯。
＜請求項１２＞
掘削機のアダプタのノーズ部に使用される掘削機用歯であって、
対向する側壁によって画成されたノーズ部受容ポケットを備えており、
前記側壁の少なくとも１つは、当該側壁上に内部に形成された挿入体受容凹部を有しており、
これにより当該凹部は、前記アダプタノーズ部に取り付けられた挿入体を受容する
ことを特徴とする掘削機用歯。
＜請求項１３＞
前記側壁の少なくとも１つは、前記歯の長手方向軸に対して垂直に当該側壁を貫いて形成された締結部材受容開口を有しており、
当該歯の締結部材受容開口は、ネジ式係合部を含んでおり、
当該ネジ式係合部は、締結部材が挿入体の締結部材受容開口から外されるとき、締結部材のネジ部と係合する
ことを特徴とする請求項１２に記載の掘削機用歯。
＜請求項１４＞
前記ネジ式係合部は、前記歯の締結部材受容開口のネジ部を含んでいる
ことを特徴とする請求項１３に記載の掘削機用歯。
＜請求項１５＞
前記ネジ式係合部は、前記歯の係合部材受容開口の傾斜部を含んでいる
ことを特徴とする請求項１３に記載の掘削機用歯。
＜請求項１６＞
前記ネジ式係合部は、前記挿入体の締結部材受容開口に対して偏心している
ことを特徴とする請求項１３に記載の掘削機用歯。
＜請求項１７＞
前記挿入体受容凹部は、内部に形成された全体的に平坦な第１及び第２のノーズ部係合インタフェース面を有しており、
当該第１のインタフェース面は、前記歯が当該歯の長手方向軸回りに第１の方向に回転することを妨げ、
前記第２のインタフェース面は、当該歯が当該長手方向軸回りに前記第１の方向とは反対の第２の方向に回転することを妨げる
ことを特徴とする請求項１２に記載の掘削機用歯。
＜請求項１８＞
前記第１及び第２のインタフェース面の各々は、前記歯の長手方向軸に垂直な当該歯の横軸に対して傾斜している
ことを特徴とする請求項１７に記載の掘削機用歯。
【図１】
0005908557.tif 000002
【図２】
0005908557.tif 000003
【図３】
0005908557.tif 000004
【図４】
0005908557.tif 000005
【図５】
0005908557.tif 000006
【図６】
0005908557.tif 000007
【図７】
0005908557.tif 000008
【図８】
0005908557.tif 000009
【図９】
0005908557.tif 000010
【図１０】
0005908557.tif 000011
【図１１】
0005908557.tif 000012
【図１２】
0005908557.tif 000013
【図１３】
0005908557.tif 000014
【図１４】
0005908557.tif 000015
【図１５】
0005908557.tif 000016
【図１６】
0005908557.tif 000017
【図１７】
0005908557.tif 000018
【図１８】
0005908557.tif 000019
【図１９】
0005908557.tif 000020
【図２０】
0005908557.tif 000021
【図２１】
0005908557.tif 000022
【図２２】
0005908557.tif 000023
【図２３】
0005908557.tif 000024
【図２４】
0005908557.tif 000025
【図２５】
0005908557.tif 000026
【図２６】
0005908557.tif 000027
【図２７】
0005908557.tif 000028
【図２８】
0005908557.tif 000029
【図２９】
0005908557.tif 000030
【図３０】
0005908557.tif 000031
【図３１】
0005908557.tif 000032
【図３２】
0005908557.tif 000033
【図３３】
0005908557.tif 000034
【図３４】
0005908557.tif 000035
【図３５】
0005908557.tif 000036
【図３６】
0005908557.tif 000037
【図３７】
0005908557.tif 000038